(57)【要約】  設備管理方法は、設備管理装置が、燃料電池システムによって予測されない異常であって前記燃料電池システムに生じる異常である第１異常の発生を予測するステップＡと、前記設備管理装置が、前記第１異常の発生が予測された場合に、前記第１異常の発生予測に伴うメッセージを送信するステップＢとを備える。
2018221583.tif 000002
【特許請求の範囲】
【請求項１】
設備管理装置が、燃料電池システムによって予測されない異常であって前記燃料電池システムに生じる異常である第１異常の発生を予測するステップＡと、
前記設備管理装置が、前記第１異常の発生を予測した場合に、前記第１異常の発生予測に伴うメッセージを送信するステップＢとを備える、設備管理方法。
【請求項２】
前記燃料電池システムが、前記燃料電池システムに備えられる異常回避機能によって、前記燃料電池システムに生じる異常である第２異常の発生が予測された場合に、前記第２異常を回避する動作を行うステップＣを備え、
前記第１異常は、前記異常回避機能によって予測されない異常である、請求項１に記載の設備管理方法。
【請求項３】
前記ステップＢは、前記燃料電池システムの通信機能が活性化状態である場合に、前記第１異常を回避する動作を指示する情報要素を含む遠隔操作メッセージを前記メッセージとして前記燃料電池システムに送信するステップを含む、請求項１又は請求項２に記載の設備管理方法。
【請求項４】
前記ステップＢは、前記燃料電池システムの通信機能が活性化状態でない場合に、前記第１異常の発生が予測される旨を示す情報要素を含む警報メッセージを前記メッセージとして所定端末に送信するステップを含む、請求項１乃至請求項３のいずれかに記載の設備管理方法。
【請求項５】
前記ステップＡは、前記燃料電池システムに対する外的要因に基づいて、前記第１異常の発生を予測するステップを含む、請求項１乃至請求項４のいずれかに記載の設備管理方法。
【請求項６】
前記ステップＡは、前記燃料電池システムの設置エリアにおける気温、前記燃料電池システムの設置エリアにおける天候、前記燃料電池システムの設置エリアにおける空気汚染、前記燃料電池システムに対するガス供給の停止計画、及び、前記燃料電池システムに対する水供給の停止計画の少なくともいずれか１つを含む前記外的要因に基づいて、前記第１異常の発生を予測するステップを含む、請求項１乃至請求項５のいずれかに記載の設備管理方法。
【請求項７】
前記ステップＢは、前記燃料電池システムの設置エリアにおける停電状態、及び、前記設備管理装置と前記燃料電池システムとの間の通信状態の少なくともいずれか１つに基づいて、前記燃料電池システムの通信機能が活性化状態であるか否かを判定するステップを含む、請求項３又は請求項４のいずれかに記載の設備管理方法。
【請求項８】
燃料電池システムによって予測されない異常であって前記燃料電池システムに生じる異常である第１異常の発生を予測する制御部と、
前記第１異常の発生が予測された場合に、前記第１異常の発生予測に伴うメッセージを送信する送信部とを備える、設備管理装置。
【発明の詳細な説明】
【技術分野】
【０００１】
本発明は、設備管理方法及び設備管理装置に関する技術である。
【背景技術】
【０００２】
複数の設備に関する様々な情報を管理する設備管理システムが知られている。様々な情報としては、設備に関する基本情報やメンテナンス情報が挙げられる。基本情報は、例えば、設置年月日、既定耐用年数及び定格消費電力等を含む。メンテナンス情報は、過去のメンテナンスの履歴を含む（例えば、特許文献１）。
【先行技術文献】
【特許文献】
【０００３】
【特許文献１】特開２００５−１８２３９９号公報
【発明の概要】
【０００４】
第１の開示に係る設備管理方法は、設備管理装置が、燃料電池システムによって予測されない異常であって前記燃料電池システムに生じる異常である第１異常の発生を予測するステップＡと、前記設備管理装置が、前記第１異常の発生が予測された場合に、前記第１異常の発生予測に伴うメッセージを送信するステップＢとを備える。
【０００５】
第２の開示に係る設備管理装置は、燃料電池システムによって予測されない異常であって前記燃料電池システムに生じる異常である第１異常の発生を予測する制御部と、前記第１異常の発生が予測された場合に、前記第１異常の発生予測に伴うメッセージを送信する送信部とを備える。
【図面の簡単な説明】
【０００６】
【図１】図１は、実施形態に係る設備管理システム１００を示す図である。
【図２】図２は、実施形態に係る燃料電池システム３１０を示す図である。
【図３】図３は、実施形態に係る設備管理装置２００を示す図である。
【図４】図４は、実施形態に係る設備管理方法を示す図である。
【図５】図５は、実施形態に係る設備管理方法を示す図である。
【図６】図６は、実施形態に係る設備管理方法を示す図である。
【発明を実施するための形態】
【０００７】
以下において、実施形態について説明する。なお、以下の図面の記載において、同一又は類似の部分には、同一又は類似の符号を付している。但し、図面は模式的なものであり、各寸法の比率などは現実のものとは異なる場合があることに留意すべきである。
【０００８】
従って、具体的な寸法などは以下の説明を参酌して判断すべきものである。また、図面相互間においても互いの寸法の関係や比率が異なる部分が含まれる場合があることは勿論である。
【０００９】
［開示の概要］
背景技術で触れた設備管理システムによって管理される設備が燃料電池システムであるケースが考えられる。燃料電池システムは、燃料電池システムの機能として異常回避機能を有しており、異常の発生が予測された場合に、予測された異常を回避する動作を行うように構成されている。
【００１０】
しかしながら、発明者等は、鋭意検討の結果、燃料電池システムが有する異常回避機能のみでは適切に異常を回避することができない事象を見出した。
【００１１】
以下に示す開示においては、上述した課題を解決するために、燃料電池システムの異常を適切に回避することを可能とする設備管理方法及び設備管理装置について説明する。
【００１２】
［実施形態］
（設備管理システム）
以下において、実施形態に係る設備管理システムについて説明する。図１に示すように、設備管理システム１００は、設備管理装置２００と、施設３００と、所定端末４００とを有する。図１では、施設３００として、施設３００Ａ〜施設３００Ｃが例示されている。設備管理装置２００及び施設３００は、ネットワーク１２０に接続されている。ネットワーク１２０は、設備管理装置２００と施設３００との間の回線、設備管理装置２００と所定端末４００との間の回線を提供すればよい。ネットワーク１２０は、例えば、インターネットである。ネットワーク１２０は、ＶＰＮなどの専用回線を提供してもよい。
【００１３】
設備管理装置２００は、施設３００に設けられる設備を管理する。設備管理装置２００の詳細については後述する（図３を参照）。
【００１４】
施設３００は、燃料電池システム３１０及びＥＭＳ３２０を有する。燃料電池システム３１０は、ガスなどの燃料を用いて発電を行う設備を含む。燃料電池システム３１０の詳細については後述する（図２を参照）。ＥＭＳ３２０は、施設３００に設けられる設備を制御する設備（Ｅｎｅｒｇｙ  Ｍａｎａｇｅｍｅｎｔ  Ｓｙｓｔｅｍ）である。
【００１５】
施設３００は、電力を消費する負荷設備を有していてもよい。負荷設備は、例えば、空調設備、照明設備、ＡＶ（Ａｕｄｉｏ  Ｖｉｓｕａｌ）設備などである。施設３００は、燃料電池システム３１０以外の分散電源を有していてもよい。分散電源は、例えば、太陽光、風力又は地熱などの自然エネルギーを利用して発電を行う設備を含んでもよく、蓄電池設備を含んでもよい。
【００１６】
所定端末４００は、施設３００に設けられる設備を管理する管理者が所持する端末であってもよい。所定端末４００は、施設３００に設けられる設備のメンテナンスを行う作業者が所持する端末であってもよい。所定端末４００は、発電事業者、送配電事業者或いは小売事業者などの事業者に属する端末であってもよい。所定端末４００は、スマートフォンであってもよく、タブレット端末であってもよく、パーソナルコンピュータであってもよい。
【００１７】
ここで、設備管理システム１００は、電力管理サーバを有していてもよい。電力管理サーバは、例えば、電力系統１１０から施設３００に対する潮流量の制御を要求する潮流制御メッセージ、施設３００から電力系統１１０に対する逆潮流量の制御を要求する逆潮流制御メッセージ、施設３００に設けられる燃料電池システム３１０（分散電源）の制御を要求する電源制御メッセージなどを施設３００に送信する。
【００１８】
（燃料電池システム）
以下において、実施形態に係る燃料電池システムについて説明する。図２は、実施形態に係る燃料電池システム３１０を示す図である。燃料電池システム３１０は、少なくとも燃料電池設備１５０を含む。燃料電池システム３１０は、貯湯設備１６０を含んでもよい。ここでは、燃料電池システム３１０は、燃料電池設備１５０及び貯湯設備１６０の双方を含むコジェネレーションシステムであるものとして説明を続ける。
【００１９】
燃料電池設備１５０は、ガスなどの燃料を用いて発電を行う設備である。貯湯設備１６０は、ガスなどの燃料を用いて湯を生成或いは水温を維持する設備である。具体的には、貯湯設備１６０は、貯湯槽を有しており、燃料の燃焼によって生じる熱又は燃料電池設備１５０の発電によって生じる排熱によって、貯湯槽から供給される水を温めて、温められた湯を貯湯槽に還流する。
【００２０】
図２に示すように、燃料電池設備１５０は、燃料電池１５１と、ＰＣＳ１５２と、ブロワ１５３と、脱硫器１５４と、着火ヒータ１５５と、ラジエータ１５６と、制御基板１５７とを有する。
【００２１】
燃料電池１５１は、燃料を用いて発電を行う設備である。具体的には、燃料電池１５１は、改質器１５１Ａと、セルスタック１５１Ｂとを有する。
【００２２】
改質器１５１Ａは、後述する脱硫器１５４によって付臭剤が除去された燃料から改質ガスを生成する。改質ガスは、水素及び一酸化炭素によって構成されるガスである。
【００２３】
セルスタック１５１Ｂは、後述するブロワ１５３から供給される空気（酸素）と改質ガスとの化学反応によって発電する。具体的には、セルスタック１５１Ｂは、複数のセルがスタックされた構造を有する。各セルは、燃料極と空気極との間に電解質が挟み込まれた構造を有する。燃料極には、改質ガス（水素）が供給され、空気極には、空気（酸素）が供給される。電解質において改質ガス（水素）及び空気（酸素）の化学反応が生じて、電力（ＤＣ電力）及び熱が生成される。
【００２４】
ＰＣＳ１５２は、燃料電池１５１から出力されたＤＣ電力をＡＣ電力に変換する設備（Ｐｏｗｅｒ  Ｃｏｎｄｉｔｉｏｎｉｎｇ  Ｓｙｓｔｅｍ）である。
【００２５】
ブロワ１５３は、燃料電池１５１（セルスタック１５１Ｂ）に空気を供給する。ブロワ１５３は、例えば、ファンによって構成される。ブロワ１５３は、セルスタック１５１Ｂの温度が許容温度の上限を超えないようにセルスタック１５１Ｂを冷却する。
【００２６】
脱硫器１５４は、外部から供給される燃料に含まれる付臭剤を除去する。燃料は、都市ガスであってもよく、プロパンガスであってもよい。
【００２７】
着火ヒータ１５５は、セルスタック１５１Ｂで化学反応しなかった燃料（以下、未反応燃料）に着火し、セルスタック１５１Ｂの温度を高温に維持するヒータである。すなわち、着火ヒータ１５５は、セルスタック１５１Ｂを構成する各セルの開口から漏れる未反応燃料に着火する。着火ヒータ１５５は、未反応燃料が燃焼していないケース（例えば、燃料電池設備１５０の起動時）において、未反応燃料に着火すればよいことに留意すべきである。そして、未反応ガスの燃焼が開始した後においては、セルスタック１５１Ｂから僅かずつ溢れ出る未反応燃料が燃焼し続けることによって、セルスタック１５１Ｂの温度が高温に維持される。
【００２８】
ラジエータ１５６は、貯湯設備１６０から燃料電池設備１５０に流れる水（以下、還流水）の温度が許容温度の上限を超えないように還流水を冷却する。ラジエータ１５６は、セルスタック１５１Ｂの温度が許容温度の上限を超えないようにセルスタック１５１Ｂを冷却してもよい。
【００２９】
制御基板１５７は、燃料電池１５１、ＰＣＳ１５２、ブロワ１５３、脱硫器１５４、着火ヒータ１５５及び制御基板１５７を制御する回路を搭載する基板である。
【００３０】
改質器１５１Ａ、ブロワ１５３、脱硫器１５４、着火ヒータ１５５及び制御基板１５７は、セルスタック１５１Ｂの動作を補助する補機の一例である。また、ＰＣＳ１５２の一部を補機として扱ってもよい。
【００３１】
燃料電池システム３１０の運転状態は、発電状態（発電中とも称する）、停止状態（停止中とも称する）、起動状態（起動中とも称する）、停止動作状態（停止動作中とも称する）、アイドル状態（アイドル中とも称する）などを含む。
【００３２】
発電状態は、燃料電池１５１による発電が行われている状態である。起動状態は、停止状態から発電状態に至る状態である。停止状態は、燃料電池１５１の動作が停止している状態である。停止動作状態は、発電状態から停止状態に至る状態である。アイドル状態は、燃料電池システム３１０から電力が出力されていないが、セルスタック１５１Ｂの温度が所定温度に維持される状態である。所定温度は、発電状態におけるセルスタック１５１Ｂの発電温度（例えば、６５０℃〜１０００℃）と同程度であってもおく、発電温度よりも低い温度（例えば、４５０℃〜６００℃）であってもよい。アイドル状態において、補機の電力は、燃料電池１５１から出力される電力によって賄われてもよく、他の分散電源（例えば、自然エネルギーを利用して発電を行う設備又は蓄電池設備）から供給される電力によって賄われてもよく、電力系統１１０から供給される電力によって賄われてもよい。
【００３３】
図２に示す例では、制御基板１５７は、燃料電池設備１５０に設けられる。しかしながら、実施形態はこれに限定されるものではない。燃料電池システム３１０は、ユーザ操作を受け付けるリモートコントローラを含み、制御基板１５７は、リモートコントローラに設けられてもよい。或いは、制御基板１５７が有する機能は、燃料電池設備１５０に設けられる基板及びリモートコントローラの双方によって実現されてもよい。
【００３４】
ここで、制御基板１５７は、燃料電池システム３１０に生じる異常を回避する機能（以下、異常回避機能）を有していていもよい。ここで、燃料電池システム３１０に生じる異常は、燃料電池システム３１０（異常回避機能）よって予測されない第１異常と、燃料電池システム３１０（異常回避機能）によって予測される第２異常を含む。制御基板１５７は、異常回避機能によって、第２異常の発生が予測された場合に、第２異常を回避する動作を行う。
【００３５】
例えば、第２異常は、セルスタック１５１Ｂの温度異常であってもよい。このようなケースにおいて、セルスタック１５１Ｂの温度が所定閾値を超えた場合に第２異常が発生する前提下において、制御基板１５７は、セルスタック１５１Ｂの温度が所定閾値よりも低い閾値を超えた場合に第２異常の発生を予測する。或いは、第２異常は、ブロワ１５３の回転異常であってもよい。このようなケースにおいて、ブロワ１５３の回転数が所定閾値を超えた場合に第２異常が発生する前提下において、制御基板１５７は、ブロワ１５３の回転数が所定閾値よりも低い閾値を超えた場合に第２異常の発生を予測する。
【００３６】
（設備管理装置）
以下において、実施形態に係る設備管理装置について説明する。図３に示すように、設備管理装置２００は、管理部２１０と、通信部２２０と、制御部２３０とを有する。
【００３７】
管理部２１０は、不揮発性メモリ又は／及びＨＤＤなどの記憶媒体によって構成されており、複数の施設３００に関する情報を管理する。
【００３８】
管理部２１０は、複数の施設３００のそれぞれに設けられる設備の基本情報を記憶してもよい。管理部２１０は、例えば、施設名、施設ＩＤ、設備名、設備ＩＤ、導入年、経年及び耐用年数を対応付けて記憶する。施設名は、設備が設置される施設３００の名称である。施設ＩＤは、施設３００を識別する識別子である。設備名は、設備の名称である。設備ＩＤは、設備を識別する識別子である。導入年は、設備が導入された年である。経年は、設備が導入されてから経過した年である。耐用年数は、設備のメーカ等によって定められており、設備を導入してから設備を適切に使用可能な期間を示す情報である。
【００３９】
管理部２１０は、複数の施設３００のそれぞれについて、複数の施設３００のそれぞれに設けられる設備のメンテナンス情報を記憶してもよい。管理部２１０は、例えば、施設名、設備名、メンテナンス日、メンテナンス概要及びメンテナンス詳細を対応付けて記憶する。管理部２１０は、これらの情報とともに、施設ＩＤ及び設備ＩＤを対応付けて記憶してもよい。施設名及び設備名は、上述した通りである。メンテナンス日は、メンテナンスが行われた日付である。メンテナンス概要は、メンテナンスの概要を示す情報であり、メンテナンス詳細は、メンテナンスの詳細を示す情報である。実施形態に係るメンテナンス情報は、少なくとも、将来において設備のメンテナンスを行うメンテナンス期間（予定）を含んでいればよい。メンテナンス情報は、過去において設備のメンテナンスを行ったメンテナンス期間を含んでいてもよい。
【００４０】
ここで、メンテナンスは、例えば、設備の劣化状態を調査する点検、点検時に軽微な手入れを行う保守、設備の不具合を処置する修繕、既存の設備を新しい設備に交換する取替等を含む。
【００４１】
実施形態において、管理部２１０は、燃料電池システム３１０に対する外的要因を管理する。外的要因は、オペレータによって入力されてもよく、外部サーバから取得されてもよい。ここで、外的要因は、例えば、燃料電池システム３１０の設置エリアにおける気温、燃料電池システム３１０の設置エリアにおける天候、燃料電池システム３１０の設置エリアにおける空気汚染、燃料電池システム３１０に対するガス供給の停止計画、及び、燃料電池システム３１０に対する水供給の停止計画の少なくともいずれか１つを含む。外的要因は、電力系統１１０に接続されている他の機器の数、他の機器の種類、他の機器の状態（例えば、逆潮流を行っている状態）を含んでもよい。外的要因は、燃料電池システム３１０の設置エリアにおける気圧を含んでもよい。
【００４２】
通信部２２０は、通信モジュールによって構成されており、ネットワーク１２０を介して施設３００及び所定端末４００と通信を行う。通信部２２０は、第１異常の発生が制御部２３０によって予測された場合に、第１異常の発生予測に伴うメッセージを送信する送信部を構成する。具体的には、通信部２２０は、第１異常を回避する動作を指示する情報要素を含む遠隔操作メッセージを燃料電池システム３１０に送信する。遠隔操作メッセージは、ＥＭＳ３２０を介して送信されてもよく、ＥＭＳ３２０を介さずに送信されてもよい。通信部２２０は、第１異常の発生が予測される旨を示す情報要素を含む警報メッセージを所定端末４００に送信する。
【００４３】
制御部２３０は、メモリ及びＣＰＵなどによって構成されており、設備管理装置２００に設けられる各構成を制御する。実施形態において、制御部２３０は、燃料電池システム３１０によって予測されない異常であって燃料電池システム３１０に生じる異常である第１異常の発生を予測する。具体的には、制御部２３０は、燃料電池システム３１０に対する外的要因に基づいて、第１異常の発生を予測する。
【００４４】
さらに、制御部２３０は、燃料電池システム３１０の通信機能が活性化状態（以下、アクティブと称することもある）である場合に、遠隔操作メッセージの送信を通信部２２０に指示する。一方で、制御部２３０は、燃料電池システム３１０の通信機能がアクティブでない場合に、警報メッセージの送信を通信部２２０に指示する。ここで、活性化状態とは、燃料電池システム３１０の通信機能を利用可能な状態を意味している。例えば、活性化状態は、少なくとも、燃料電池システム３１０が設備管理装置２００からメッセージを受信可能な状態を含む。活性化状態は、燃料電池システム３１０が設備管理装置２００にメッセージを送信可能な状態を含んでもよい。
【００４５】
ここで、制御部２３０は、燃料電池システム３１０の設置エリアにおける停電状態に基づいて、燃料電池システム３１０の通信機能がアクティブであるか否かを判定してもよい。具体的には、制御部２３０は、設置エリアで停電が生じていない場合に、燃料電池システムの通信機能がアクティブであると判定する。制御部２３０は、設置エリアで停電が生じている場合に、燃料電池システム３１０の通信機能がアクティブでないと判定する。制御部２３０は、設備管理装置２００と燃料電池システム３１０との間の通信状態に基づいて、燃料電池システム３１０の通信機能がアクティブであるか否かを判定してもよい。通信状態は、燃料電池システム３１０から定期的に送信される信号が受信できるか否かによって判定されてもよく、燃料電池システム３１０から受信する信号の品質によって判定されてもよい。通信状態は、燃料電池システム３１０（少なくとも、通信モジュール）の電源がオフである場合に、設備管理装置２００と燃料電池システム３１０との間の通信が途絶している状態を含む。
【００４６】
以下において、第１異常の発生予測について、外的要因毎に詳細に説明する。
【００４７】
（Ａ）設置エリアにおける気温
燃料電池システム３１０は、循環液（例えば、水）を循環する循環系統を有する。このような循環液の凍結が生じると、燃料電池システム３１０の異常が発生する。従って、制御部２３０は、設置エリアにおける気温が循環液の凝固点を下回る恐れがある場合に、第１異常の発生を予測する。設置エリアにおける気温が循環液の凝固点を下回る恐れは、現在の気温である現在気温に基づいて判定されてもよく、将来の気温である予測気温に基づいて判定されてもよい。
【００４８】
このようなケースにおいて、制御部２３０は、燃料電池システム３１０の動作状態に基づいて、第１異常の発生を予測してもよい。上述した発電状態、起動状態及びアイドル状態においては、セルスタック１５１Ｂの温度が高い或いはセルスタック１５１Ｂの温度が上昇傾向であるため、循環液が凍結する可能性が低い。一方で、上述した停止状態及び停止動作状態においては、セルスタック１５１Ｂの温度が低い或いはセルスタック１５１Ｂの温度が下降傾向であるため、循環液が凍結する可能性がある。従って、制御部２３０は、燃料電池システム３１０の動作状態が停止状態又は停止動作状態であり、かつ、設置エリアにおける気温が循環液の凝固点を下回る恐れがある場合に、第１異常の発生を予測してもよい。或いは、制御部２３０は、燃料電池システム３１０の動作状態を取得することができない場合に、第１異常の発生を予測してもよい。
【００４９】
このような第１異常の発生が予測される場合においては、循環液を循環系統から抜く処理が必要になる。制御部２３０は、燃料電池システム３１０の通信機能がアクティブである場合に、循環液を循環系統から抜く処理を指示する遠隔操作メッセージの送信を通信部２２０に指示する。制御部２３０は、燃料電池システム３１０の通信機能がアクティブでない場合に、警報メッセージの送信を通信部２２０に指示する。
【００５０】
（Ｂ）設置エリアにおける天候
豪雨、豪雪又は竜巻などの天候によって、漏電又は浸水などのトラブルが生じる可能性がある。従って、制御部２３０は、豪雨、豪雪又は竜巻が生じる恐れがある場合に、第１異常の発生を予測する。設置エリアにおける天候は、気象サーバなどの外部サーバから取得されてもよい。
【００５１】
このような第１異常の発生が予測される場合においては、燃料電池システム３１０を停止する処理が必要になる。制御部２３０は、燃料電池システム３１０の通信機能がアクティブである場合に、燃料電池システム３１０の停止を指示する遠隔操作メッセージの送信を通信部２２０に指示する。制御部２３０は、燃料電池システム３１０の通信機能がアクティブでない場合に、警報メッセージの送信を通信部２２０に指示する。
【００５２】
（Ｃ）設置エリアにおける空気汚染
硫黄酸化物（ＳＯｘ）、窒素酸化物（ＮＯｘ）又はＰＭ２．５などの汚染物質によって、燃料電池システム３１０が有するケミカルフィルタ又は燃料電池システム３１０が有するモジュールの劣化が生じる必要がある。従って、制御部２３０は、空気汚染が生じる恐れがある場合に、第１異常の発生を予測する。設置エリアにおける空気汚染は、気象サーバなどの外部サーバから取得される情報（例えば、汚染物質の分布及び風向き）によって予測されてもよい。
【００５３】
このような第１異常の発生が予測される場合においては、燃料電池システム３１０を停止する処理が必要になる。制御部２３０は、燃料電池システム３１０の通信機能がアクティブである場合に、燃料電池システム３１０の停止を指示する遠隔操作メッセージの送信を通信部２２０に指示する。制御部２３０は、燃料電池システム３１０の通信機能がアクティブでない場合に、警報メッセージの送信を通信部２２０に指示する。
【００５４】
（Ｄ）ガス供給の停止計画
燃料電池システム３１０が停止していない状態でガス供給が停止すると、不測のガス供給の停止によってセルスタック１５１Ｂに異常が生じる可能性がある。従って、制御部２３０は、ガス供給が停止する計画がある場合に、第１異常の発生を予測する。ガス供給の停止計画は、ガス会社から取得されてもよい。
【００５５】
このような第１異常の発生が予測される場合においては、燃料電池システム３１０を停止する処理が必要になる。制御部２３０は、燃料電池システム３１０の通信機能がアクティブである場合に、燃料電池システム３１０の停止を指示する遠隔操作メッセージの送信を通信部２２０に指示する。制御部２３０は、燃料電池システム３１０の通信機能がアクティブでない場合に、警報メッセージの送信を通信部２２０に指示する。
【００５６】
（Ｅ）水供給の停止計画
燃料電池システム３１０が停止していない状態で水供給が停止すると、不測の水供給の停止によって改質器１５１Ａの劣化が生じる可能性がある。さらに、水供給が再開された場合において、改質器１５１Ａが有するフィルタの劣化が生じる可能性がある。従って、制御部２３０は、水供給が停止する計画がある場合に、第１異常の発生を予測する。水供給の停止計画は、水道会社から取得されてもよい。
【００５７】
このような第１異常の発生が予測される場合においては、燃料電池システム３１０を停止する処理が必要になる。制御部２３０は、燃料電池システム３１０の通信機能がアクティブである場合に、燃料電池システム３１０の停止を指示する遠隔操作メッセージの送信を通信部２２０に指示する。制御部２３０は、燃料電池システム３１０の通信機能がアクティブでない場合に、警報メッセージの送信を通信部２２０に指示する。
【００５８】
（Ｆ）その他
例えば、逆潮流を行うことが可能な他の機器の数、又は、逆潮流を行っている状態の他の機器の数が多いほど、電力系統１１０の電圧が高くなる可能性があり、第１異常の発生が予測される。このような第１異常の発生が予測される場合においては、燃料電池システム３１０を停止する処理が必要になる可能性がある。
【００５９】
例えば、燃料電池システム３１０の設置エリアにおける気圧が急激に低下した場合には、設置エリアにおける天候と同様に、第１異常の発生が予測される。このような第１異常の発生が予測される場合においては、燃料電池システム３１０を停止する処理が必要になる可能性がある。
【００６０】
（設備管理方法）
以下において、実施形態に係る設備管理方法について説明する。図４〜図６では、ＥＭＳ３２０が省略されているが、燃料電池システム３１０と設備管理装置２００との間の通信は、ＥＭＳ３２０を経由して送信されてもよい。
【００６１】
第１に、第１異常の発生が予測され、かつ、燃料電池システム３１０の通信機能がアクティブであるケースについて説明する。
【００６２】
図４に示すように、ステップＳ１１において、設備管理装置２００は、第１異常の発生を予測する。第１異常の発生予測方法は、上述した通りである。
【００６３】
ステップＳ１２において、設備管理装置２００は、燃料電池システム３１０の通信機能がアクティブであると判定する。
【００６４】
ステップＳ１３において、設備管理装置２００は、第１異常を回避する動作を指示する情報要素を含む遠隔操作メッセージを燃料電池システム３１０に送信する。
【００６５】
ステップＳ１４において、設備管理装置２００は、遠隔操作メッセージを燃料電池システム３１０に送信した旨を示す情報を含む通知メッセージ、すなわち、第１異常を回避する動作を指示した旨を示す情報要素を含む通知メッセージを所定端末４００に送信してもよい。
【００６６】
第２に、第１異常の発生が予測され、かつ、燃料電池システム３１０の通信機能がアクティブでないケースについて説明する。
【００６７】
図５に示すように、ステップＳ２１において、設備管理装置２００は、第１異常の発生を予測する。第１異常の発生予測方法は、上述した通りである。
【００６８】
ステップＳ２２において、設備管理装置２００は、燃料電池システム３１０の通信機能がアクティブでないと判定する。
【００６９】
ステップＳ２３において、設備管理装置２００は、第１異常の発生が予測される旨を示す情報要素を含む警報メッセージを所定端末４００に送信する。
【００７０】
第３に、第２異常の発生が予測されるケースについて説明する。
【００７１】
図６に示すように、ステップＳ３１において、燃料電池システム３１０は、異常回避機能によって、第２異常の発生を予測する。
【００７２】
ステップＳ３２において、燃料電池システム３１０は、異常回避機能によって、第２異常を回避する動作を行う。
【００７３】
ステップＳ３３において、燃料電池システム３１０は、第２異常を回避する動作を行った旨を示す情報要素を含む通知メッセージを設備管理装置２００に送信してもよい。
【００７４】
ステップＳ３４において、設備管理装置２００は、第２異常を回避する動作を行った旨を示す情報要素を含む通知メッセージを所定端末４００に送信してもよい。
【００７５】
（作用及び効果）
実施形態では、設備管理装置２００は、燃料電池システム３１０によって予測されない異常であって燃料電池システム３１０に生じる異常である第１異常の発生を予測する。さらに、設備管理装置２００は、第１異常の発生が予測された場合に、第１異常の発生予測に伴うメッセージを送信する。従って、燃料電池システム３１０が有する異常回避機能のみでは対処しきれない異常が生じる可能性があっても、このような異常を適切に回避することができる。
【００７６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７７】
実施形態では、管理部２１０が設備管理装置２００に設けられるが、実施形態はこれに限定されるものではない。例えば、管理部２１０は、ネットワーク１２０を介して設備管理装置２００と接続されるサーバに設けられてもよい。
【００７８】
実施形態では、燃料電池システム３１０が異常回避機能を有する。しかしながら、実施形態はこれに限定されるものではない。燃料電池システム３１０に備えられる異常回避機能はＥＭＳ３２０が有していてもよい。
【００７９】
実施形態では、第１異常の発生を設備管理装置２００が予測するが、実施形態はこれに限定されるものではない。第１異常の発生はＥＭＳ３２０によって予測されてもよい。このようなケースにおいて、ＥＭＳ３２０が設備管理装置であると考えてもよい。さらに、ＥＭＳ３２０は、ネットワーク１２０を介して接続されたサーバのクラウドサービスによって設備管理装置として機能してもよい。クラウドサービスを提供するサーバは、設備管理装置２００であってもよい。
【００８０】
実施形態では、警報メッセージは、第１異常の発生が予測される旨を示す情報要素を含む。警報メッセージは、上述した外的要因を示す情報要素を含んでもよい。このような情報要素は、第１異常の発生を予測した根拠を示す情報要素である。第１異常の発生が予測される旨を示す情報要素を含む警報メッセージの優先度は、他の通知メッセージの優先度よりも高くてもよい。優先度が高いほど、メッセージの表示態様などが強調されてもよい。例えば、他の通知メッセージは、第２異常の発生が予測される旨を示す情報要素を含むメッセージでもよく、第２異常を回避する動作を行った旨を示す情報要素を含む通知メッセージであってもよく、第１異常を回避する動作を指示した旨を示す情報要素を含む通知メッセージであってもよい。他の通知メッセージは、燃料電池システム３１０で異常が生じた旨を示す情報要素を含むメッセージでもよい。
【００８１】
設備管理装置２００、燃料電池システム３１０及び所定端末４００の少なくともいずれか１つは、各種メッセージを表示するディスプレイを有していてもよい。各種メッセージは、例えば、第１異常の発生が予測される旨を示す情報要素を含むメッセージ、第２異常の発生が予測される旨を示す情報要素を含むメッセージ、第２異常を回避する動作を行った旨を示す情報要素を含む通知メッセージ、第１異常を回避する動作を指示した旨を示す情報要素を含む通知メッセージなどである。
【００８２】
燃料電池設備１５０は、固体酸化物型燃料電池（ＳＯＦＣ：Ｓｏｌｉｄ  Ｏｘｉｄｅ  Ｆｕｅｌ  Ｃｅｌｌ）である。但し、燃料電池設備１５０は、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）であってもよく、リン酸型燃料電池（ＰＡＦＣ：Ｐｈｏｓｐｈｏｒｉｃ  Ａｃｉｄ  Ｆｕｅｌ  Ｃｅｌｌ）であってもよく、溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。
【００８３】
なお、日本国特許出願第２０１７−１０６３０１号（２０１７年５月３０日出願）の全内容が、参照により、本願明細書に組み込まれている。
【図１】
2018221583.tif 000003
【図２】
2018221583.tif 000004
【図３】
2018221583.tif 000005
【図４】
2018221583.tif 000006
【図５】
2018221583.tif 000007
【図６】
2018221583.tif 000008
【国際調査報告】
2018221583.tif 000009
2018221583.tif 000010
2018221583.tif 000011
2018221583.tif 000012